(57)【特許請求の範囲】
【請求項１】
本体と、
前記本体内に設けられた電源供給ユニットと、
前記電源供給ユニットの背面に配置され、光軸直交方向に延びる第１の基板と、
前記第１の基板を覆う第１の外装カバーと、
前記電源供給ユニットの側面に配置され、光軸方向に延びる第２の基板と、
前記第２の基板を覆う第２の外装カバーと、
前記第１の基板の背面に配置され、光軸直交方向に延びる表示ユニットと、を備える撮像装置であって、
前記第１の基板には、前記電源供給ユニットから前記表示ユニットに電源供給する第１のコネクタが設けられ、
前記第２の基板には、前記電源供給ユニットから前記表示ユニットに電源供給する第２のコネクタが設けられ、
前記表示ユニットと前記第１の外装カバーは一体化されており、
背面側から見た場合、前記第１のコネクタは一体化された前記表示ユニットと前記第１の外装カバーによる背面カバーユニットで覆われており、
背面側から見た場合、前記第１の外装カバーと前記第２の外装カバーは、前記第２の基板よりも外側で係合しており、
前記第１のコネクタと前記第２のコネクタは第１の端子で電気接続されており、
前記第２のコネクタと前記表示ユニットは第２の端子で電気接続されており、
前記第２の端子は、前記第２の外装カバーに当接して、前記第２の基板に接触しないように前記第２のコネクタに電気接続されていることを特徴とする撮像装置。
【請求項２】
前記第２のコネクタは、前記第２の基板に対して傾斜した基板挿入角度を有することを特徴とする請求項１に記載の撮像装置。
【請求項３】
前記第２の端子は、前記第２の外装カバーに向けて付勢されていることを特徴とする請求項１又は２に記載の撮像装置。
【請求項４】
前記第１の外装カバーは、前記電源供給ユニットに締結される少なくとも２箇所の締結部を有し、
前記２箇所の締結部の間に、前記第２のコネクタが配置されていることを特徴とする請求項１乃至３のいずれか一項に記載の撮像装置。
【請求項５】
前記第１の基板と前記第２の基板は、可撓性を有する同一のフレキシブルプリント基板で形成されていることを特徴とする請求項１乃至４のいずれか一項に記載の撮像装置。
【発明の詳細な説明】
【技術分野】
【０００１】
本発明は、機器本体に対して表示ユニットが一体に組み付けられる、例えばデジタルカメラ等の撮像装置に関する。
【背景技術】
【０００２】
デジタルカメラ等の電子機器では、機器本体と、機器本体に対して一体に組み付けられる表示ユニットとをフレキシブルプリント基板を介して電気的に接続するものがある。このような電子機器においては、表示ユニットを外装カバーに組み付けてから機器本体に組み込む際には、表示ユニット側のフレキシブルプリント基板の長さが短いと組立作業性の低下を招く。このため、表示ユニット側のフレキシブルプリント基板を組立作業に適した長さになるように長くして、折り重ねた状態で機器本体に組み付ける技術が提案されている（特許文献１）。
【先行技術文献】
【特許文献】
【０００３】
【特許文献１】特開２００６−２１５３４１号公報
【発明の概要】
【発明が解決しようとする課題】
【０００４】
上記特許文献１では、フレキシブルプリント基板は、導体配線部の影響で比較的硬い為に、フレキシブルプリント基板を折り曲げることで反力が発生する。このため、表示ユニット側のフレキシブルプリント基板を組立作業に適した長さになるように長くして折り重ねて配置すると、折り重ねの回数分の反力により表示ユニットが押され、表示ユニットが所定の位置からずれる可能性がある。
【０００５】
また、折り重ねたフレキシブルプリント基板の配置スペースを確保するため、機器の大型化を招き、更には、折り重ねたフレキシブルプリント基板同士が接触することで電気信号のクロストークが発生して表示ユニットの誤動作が発生する可能性がある。
【０００６】
本発明は、表示ユニットのフレキシブルプリント基板を表示ユニットの位置ずれを起こすことなくコンパクトに収納することができ、更には、クロストークの発生を防止しつつ、組立作業性を向上させることができる撮像装置を提供することを目的とする。
【課題を解決するための手段】
【０００７】
本発明に係る撮像装置は、本体と、前記本体内に設けられた電源供給ユニットと、前記電源供給ユニットの背面に配置され、光軸直交方向に延びる第１の基板と、前記第１の基板を覆う第１の外装カバーと、前記電源供給ユニットの側面に配置され、光軸方向に延びる第２の基板と、前記第２の基板を覆う第２の外装カバーと、前記第１の基板の背面に配置され、光軸直交方向に延びる表示ユニットと、を備える撮像装置であって、前記第１の基板には、前記電源供給ユニットから前記表示ユニットに電源供給する第１のコネクタが設けられ、前記第２の基板には、前記電源供給ユニットから前記表示ユニットに電源供給する第２のコネクタが設けられ、前記表示ユニットと前記第１の外装カバーは一体化されており、背面側から見た場合、前記第１のコネクタは一体化された前記表示ユニットと前記第１の外装カバーによる背面カバーユニットで覆われており、背面側から見た場合、前記第１の外装カバーと前記第２の外装カバーは、前記第２の基板よりも外側で係合しており、前記第１のコネクタと前記第２のコネクタは第１の端子で電気接続されており、前記第２のコネクタと前記表示ユニットは第２の端子で電気接続されており、前記第２の端子は、前記第２の外装カバーに当接して、前記第２の基板に接触しないように前記第２のコネクタに電気接続されていることを特徴とする。
【発明の効果】
【０００８】
本発明によれば、表示ユニットのフレキシブルプリント基板を表示ユニットの位置ずれを起こすことなくコンパクトに収納することができ、更には、クロストークの発生を防止しつつ、組立作業性を向上させることができる。
【図面の簡単な説明】
【０００９】
【図１】（ａ）は本発明の電子機器の実施形態の一例であるデジタルカメラを正面側（被写体側）から見た斜視図、（ｂ）は（ａ）に示すデジタルカメラを背面側から見た斜視図である。
【図２】図１（ｂ）に示すデジタルカメラの分解斜視図である。
【図３】背面カバーユニットの分解斜視図である。
【図４】（ａ）は電池ボックスユニットのカメラ本体の背面側から見た斜視図、（ｂ）は（ａ）に示す電池ボックスユニットの分解斜視図である。
【図５】（ａ）はデジタルカメラを背面側から見た図、（ｂ）は（ａ）のＡ−Ａ線断面図である。
【図６】デジタルカメラの背面側から見て右側の側面図である。
【発明を実施するための形態】
【００１０】
以下、図面を参照して、本発明の実施形態の一例を説明する。
【００１１】
図１（ａ）は本発明の電子機器の実施形態の一例であるデジタルカメラを正面側（被写体側）から見た斜視図、図１（ｂ）は図１（ａ）に示すデジタルカメラを背面側から見た斜視図である。なお、本実施形態では、電子機器として、撮像装置の一例としてのデジタルカメラを例示するが、これに限定されない。
【００１２】
本実施形態のデジタルカメラは、図１（ａ）に示すように、カメラ本体１００の正面側に、沈胴式のレンズ鏡筒１０１が設けられ、カメラ本体１００の上面部には、電源ボタン１０２や操作ボタン１０３、及びレリーズボタン１０４等が設けられている。カメラ本体１００の背面側には、ＬＣＤ等の表示ユニット３が一体に設けられ、表示ユニット３の側部には、操作ボタン群４６が設けられている。また、カメラ本体１００は、外装部材として、背面カバーユニット４、側面カバー５及び端子カバー７を備え、背面カバーユニット４には、表示ユニット３が一体に組み込まれている。カメラ本体１００は、本発明の機器本体の一例に相当する。
【００１３】
図２は、図１（ｂ）に示すデジタルカメラの分解斜視図である。図２に示すように、カメラ本体１００の背面側から見て右側の側部には、電池を収納する電池ボックスユニット８が設けられている。背面カバーユニット４には、表示パネルフレキシブルプリント基板（以下、表示パネルＦＰＣ基板という。）３１と、背面操作フレキシブルプリント基板（以下、背面操作ＦＰＣ基板という。）４２とが設けられている。
【００１４】
また、カメラ本体１００には、第１中継フレキシブルプリント基板コネクタ（以下、第１中継ＦＰＣ基板コネクタという。）２１と、第２中継フレキシブルプリント基板コネクタ（以下、第２中継ＦＰＣ基板コネクタという。）２２とが設けられている。なお、第１中継ＦＰＣ基板コネクタ２１、及び第２中継ＦＰＣ基板コネクタ２２は、カメラ本体１００に設けられた後述する中継フレキシブルプリント基板２（図４参照）に実装されている。
【００１５】
表示ユニット３が組み付けられた背面カバーユニット４をカメラ本体１００に組み込んだ後、表示パネルＦＰＣ基板３１と背面操作ＦＰＣ基板４２とをそれぞれ第１中継ＦＰＣ基板コネクタ２１と第２中継ＦＰＣ基板コネクタ２２とに挿入して保持する。これにより、カメラ本体１００と背面カバーユニット４とが電気的に接続される。その後、側面カバー５及び端子カバー７を組み込んで側面カバー５をビス２００で締結することでデジタルカメラが組み立てられる。
【００１６】
図３は、背面カバーユニット４の分解斜視図である。図３に示すように、背面カバーユニット４は、表示ユニット３、背面カバー４１、操作ボタン群４６、背面シャーシ４３、及び背面操作ＦＰＣ基板４２を有する。表示ユニット３は、カバーガラス３５、表示パネル３３、及び表示パネルＦＰＣ基板３１が一体に設けられている。表示パネル３３は、表示領域３４を有し、表示領域３４には、撮影した画像等が表示される。背面カバー４１は、本発明の外装カバーの一例に相当し、表示パネルＦＰＣ基板３１は、本発明の表示ユニット基板の一例に相当する。
【００１７】
背面カバー４１には、操作ボタン群４６、背面操作ＦＰＣ基板４２、及び背面シャーシ４３が組み込まれてビス４５で締結される。そして、表示パネルＦＰＣ基板３１を背面カバー４１の開口部４１ａに挿通させた後、両面テープ４０を介してカバーガラス３５を表示パネル３３を覆うように背面カバー４１に固定することで、背面カバーユニット４が組み立てられる。
【００１８】
図４（ａ）は電池ボックスユニット８のカメラ本体１００の背面側から見た斜視図、図４（ｂ）は図４（ａ）に示す電池ボックスユニット８の分解斜視図である。図４に示すように、電池ボックスユニット８には、電池を収納する電池ボックス８１が設けられており、電池ボックス８１のカメラ本体１００の背面側には、制御基板１が設けられ、制御基板１には、表示ユニット３が対向して配置されている。
【００１９】
制御基板１の図の右側（カメラ本体１００を背面側から見て右側）の側面には、中継フレキシブルプリント基板（以下、中継ＦＰＣ基板という。）２が制御基板１に隣接して設けられている。電池ボックス８１は、本発明の保持部材の一例に相当し、制御基板１は、本発明の第１の基板の一例に相当し、中継ＦＰＣ基板２は、本発明の第２の基板の一例に相当する。
【００２０】
制御基板１には、コネクタ１１が実装されており、中継ＦＰＣ基板２の端子部２ａをコネクタ１１に挿入することで、制御基板１と中継ＦＰＣ基板２とが電気的に接続される。制御基板１は、電池ボックス８１にビス８９により締結されて保持され、中継ＦＰＣ基板２は、中継ＦＰＣ基板２に形成された基板穴２ｂを電池ボックス８１に形成された柱部８１ｂを圧入することで電池ボックス８１に固定される。
【００２１】
なお、本実施形態では、中継ＦＰＣ基板２の端子部２ａを制御基板１のコネクタ１１に挿入することで、制御基板１と中継ＦＰＣ基板２とを電気的に接続する場合を例示したが、これに限定されない。例えば、制御基板１及び中継ＦＰＣ基板２にそれぞれコネクタを設けて互いのコネクタ同士を電気的に接続してもよいし、制御基板１及び中継ＦＰＣ基板２を互いに半田や導電性樹脂で直接接続してもよい。また、制御基板１及び中継ＦＰＣ基板２が可撓性を有する同一のフレキシブル基板で形成してもよい。
【００２２】
図５（ａ）はデジタルカメラを背面側から見た図、図５（ｂ）は図５（ａ）のＡ−Ａ線断面図である。前述したように、制御基板１と中継ＦＰＣ基板２は、互いに隣接して電池ボックス８１の異なる面に配置されている。制御基板１と中継ＦＰＣ基板２を隣接配置しているのは、表示ユニット３から制御基板１までの配線長を可能な限り短くするためである。
【００２３】
また、前述したように、制御基板１のコネクタ１１に中継ＦＰＣ基板２の端子部２ａを挿入して制御基板１と中継ＦＰＣ基板２を電気的に接続している。また、表示パネルＦＰＣ基板３１を第１中継ＦＰＣ基板コネクタ２１に挿入して表示パネルＦＰＣ基板３１と中継ＦＰＣ基板２とを電気的に接続している。このとき、第１中継ＦＰＣ基板コネクタ２１は、図５（ｂ）に示すように、表示パネルＦＰＣ基板３１と中継ＦＰＣ基板２とが互い離間するように、傾斜した基板挿入角度θを有するコネクタを使用している。
【００２４】
これにより、表示パネルＦＰＣ基板３１と中継ＦＰＣ基板２とが互い接触することを防止することができ、表示ユニット３の配線を通る電気信号にクロストークによる表示ユニット３の誤動作を回避することができる。
【００２５】
また、表示パネルＦＰＣ基板３１は、側面カバー５の基板接触部５ｅに当接して基板接触部５ｅ側に付勢されている。これにより、デジタルカメラに落下等による衝撃が加わった場合でも、その衝撃により第１中継ＦＰＣ基板コネクタ２１から表示パネルＦＰＣ基板３１が抜けるのを防止することができる。
【００２６】
図６は、デジタルカメラの背面側から見て右側の側面図である。なお、図６では、側面カバー５を取り外した状態を示している。図６に示すように、背面カバーユニット４には、正面側に延びる複数（図６では、２箇所）の腕部４ａが図の上下方向（カメラ本体１００のの高さ方向）に互いに離間して設けられ、各腕部４ａの先端部には、締結部４ｂが設けられている。２箇所の締結部４ｂは、第１中継ＦＰＣ基板コネクタ２１を間に挟むようにして配置され、電池ボックス８１に締結される。
【００２７】
この２箇所の締結部４ｂによって、電池ボックス８１を有するカメラ本体１００と背面カバーユニット４が落下等の衝撃時に相対的にカメラの高さ方向や光軸方向に移動するのを抑制することができる。これにより、第１中継ＦＰＣ基板コネクタ２１から表示パネルＦＰＣ基板３１が抜けてしまうのを防止することができる。
【００２８】
以上説明したように、本実施形態では、背面カバーユニット４をカメラ本体１００に組み込んだ後に、表示パネルＦＰＣ基板３１を第１中継ＦＰＣ基板コネクタ２１に挿入することで、表示ユニット３と制御基板１とを電気的に接続することができる。このため、組立作業に適した表示パネルＦＰＣ基板３１の長さを短くすることができる。これにより、表示パネルＦＰＣ基板３１を表示ユニット３の位置ずれを起こすことなくコンパクトに収納することができ、更には、クロストークの発生を防止しつつ、組立作業性を向上させることができる。
【００２９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３０】
１  制御基板
２  中継ＦＰＣ基板
３  表示ユニット
４  背面カバーユニット
５  側面カバー
２１  第１中継ＦＰＣ基板コネクタ
３１  表示パネルＦＰＣ基板
４１  背面カバー
８１  電池ボックス
１００  カメラ本体
【図１】
0006584246.tif 000002
【図２】
0006584246.tif 000003
【図３】
0006584246.tif 000004
【図４】
0006584246.tif 000005
【図５】
0006584246.tif 000006
【図６】
0006584246.tif 000007